(57)【要約】【課題】衣服や、絨毯や、マット等の繊維体に付着した犬や、猫や、鳥等のペットの毛や、羽根や、埃等のゴミを容易に取り除くことができる安価なゴミ除去用ブラシを提供する。【解決手段】衣服や、絨毯や、マット等の繊維体に付着したペットの毛や、羽根や、埃等のゴミを取り除くための、芯材１３に布地１４を巻きつけて形成されるゴミ除去用ブラシ１０であって、芯材１３が略平板状の硬質体１１の少なくとも一方の主面に柔軟体１２を貼り付けてなり、柔軟体１２の上面に縦糸と横糸を交互にして織り上げた絹布からなる布地１４が巻きつけられて有する。【選択図】図１
0003117996.tif 000002
【実用新案登録請求の範囲】
【請求項１】
衣服や、絨毯や、マット等の繊維体に付着したペットの毛や、羽根や、埃等のゴミを取り除くための、芯材に布地を巻きつけて形成されるゴミ除去用ブラシであって、
前記芯材が略平板状の硬質体の少なくとも一方の主面に柔軟体を貼り付けてなり、該柔軟体の上面に縦糸と横糸を交互にして織り上げた絹布からなる前記布地が巻きつけられて有することを特徴とするゴミ除去用ブラシ。
【請求項２】
請求項１記載のゴミ除去用ブラシにおいて、前記絹布が前記縦糸、又は横糸をブラッシングする方向に対して略直角になるようにして前記柔軟体の上面に巻きつけてあることを特徴とするゴミ除去用ブラシ。
【請求項３】
請求項１又は２記載のゴミ除去用ブラシにおいて、前記芯材の硬質体がプラスチック板、木製板、紙製板、金属板のいずれかからなり、前記軟質体がゴム製スポンジ、合成樹脂製スポンジ、海綿体、フェルトのいずれかの少なくとも１つを含むことを特徴とするゴミ除去用ブラシ。
【考案の詳細な説明】
【技術分野】
【０００１】
本考案は、衣服や、絨毯や、マット等の繊維体に付着した犬や、猫や、鳥等のペットの毛や、羽根や、埃等のゴミを取り除くためのゴミ除去用ブラシに関する。
【背景技術】
【０００２】
近年になって益々、犬や、猫や、鳥等のペットは、世の中の少子化や、高齢化に歩調を合わせるようにして癒しの愛玩動物として屋内で飼育されるケースが増加してきている。屋内で犬や、猫や、鳥等のペットを飼育する場合には、ペットから脱落する毛や、羽根や、埃等のゴミがあらゆる所、特に衣服や、絨毯や、マット等の繊維体に絡み付くこととなる。このペットの毛等のゴミは、非常に細く、長さが長いので、衣服や、絨毯や、マット等の繊維体に絡み付いた場合には、簡単には除去が難しい状態となっている。これらの毛や、羽根や、埃等のゴミが付着した繊維体からゴミを取り除くためには、掃除機等で吸い取る方式や、外部に持ち出して叩き落す方式や、粘着シート等で貼着させて取り除く方式や、ブラシ等で擦り取る方式等の様々な除去方式がとられている。
【０００３】
しかしながら、掃除機を用いる方式は、吸取り口に回転ブラシを設け、強力な吸引力のある掃除機を用いる場合には、ある程度の効果を期待できるが、通常の家庭用の掃除機では、細くて静電気を帯びこびり付いた毛等のゴミを取り除くのに手間と時間をかける割には繊維体からなかなか取り除くことが難しい状態となっている。また、外部に持ち出して叩き落す方式は、細くて静電気を帯び繊維体にこびり付いた毛等のゴミを叩き落すことが難しく効果が少ない上に、大きな絨毯や、マット等の場合には、手軽に外に持ち出すことが困難となっている。そこで、手軽に衣服や、絨毯や、マット等の繊維体から毛や、羽根や、埃等のゴミを取り除く方式には、一般的に、粘着シート等で貼着させて取り除く方式や、ブラシ等で擦り取る方式が用いられている。
【０００４】
従来の粘着シートには、前後に指通し口のある平らな中空状のシートあるいは平らな袋状のシートの片側外側に粘着剤を塗布し、その上に剥離紙を付着したものが提案されている（例えば、特許文献１参照）。
従来の衣服用ブラシには、ペットの毛や羽毛も含め衣服に付着したゴミや埃を除去できるブラシとして、短パイル群からなるブラシ面を片面に有し、このブラシ面の背面に接して、ゴム製スポンジ、合成樹脂製スポンジ、海綿、紙製フェルトのいずれかからなる保液性多孔質体を設けた構成からなるものが提案されている（例えば、特許文献２参照）。
また、従来のブラシには、塗膜の形成に好適なブラシ用布材として、超極細繊維とノーマル繊維からなる複合糸を用いて編織した布地、超極細繊維からなる糸とノーマル繊維からなる糸を用いて編織し超極細繊維の部分とノーマル繊維の部分とを有する布地、又は、超極細繊維とノーマル繊維とを用いた不織布化した布地からなるものが提案されている（例えば、特許文献３参照）。あるいは、人の洗顔に好適なブラシとしては、少なくとも横糸が絹糸で平織された布地の所定幅の縦糸を取り除いて束ね、横糸部分の先端を洗顔に使用するものが提案されている（例えば、特許文献４参照）。
【０００５】
【特許文献１】特開平１１−２５３３８３号公報
【特許文献２】実用新案登録第３１０４２１０号公報
【特許文献３】特開２００２−１１２８３８号公報
【特許文献４】実用新案登録第３０３０８３０号公報
【考案の開示】
【考案が解決しようとする課題】
【０００６】
しかしながら、前述したような従来のゴミ除去用ブラシは、未だ解決すべき次のような問題がある。
（１）特開平１１−２５３３８３号公報で開示されるような、手軽に衣服や、絨毯や、マット等の繊維体から毛や、羽根や、埃等のゴミを取り除くのに粘着シート等で貼着させて取り除く方式は、粘着シート等の貼着材に繊維体の繊維自体が付着して繊維体を傷付けると同時に、繊維が粘着シートに付着して、本来の除去を目的とする毛等のゴミを取り除くことが直にできなくなる。また、この状態で毛等のゴミを取り除くためには、頻繁に粘着シート等の取替えが必要で能率が悪い上に、粘着シートの費用が嵩むという問題を抱えている。
（２）実用新案登録第３１０４２１０号公報で開示されるような、短パイル群からなるブラシ面の背面に接して保液性多孔質体を設ける構成からなる衣服用ブラシは、保液性多孔質体に充填する液体の量によって、ブラッシング効果が変化するが、この液体の量を管理がするのが難しい。また、この衣服用ブラシは、保液性多孔質体からの液洩れの発生の危険性があり、衣服等にシミ等を発生させる場合がある。
（３）特開２００２−１１２８３８号公報で開示されるブラシは、例え、ブラシ面に布地を用いてたとしても、厚みのある塗膜を形成することを目的にして特殊な編織の布地であるので、衣服や、絨毯や、マット等の繊維体から毛や、羽根や、埃等のゴミを取り除くことは難しい。
（４）実用新案登録第３０３０８３０号公報で開示される絹糸ブラシは、例え、絹糸を用いたとしても、ブラシ面が洗顔を目的として絹糸の先端部を優しく顔に当接させて使用するようになっているので、力を掛けて擦ることができず、衣服や、絨毯や、マット等の繊維体から毛や、羽根や、埃等のゴミを取り除くことは難しい。
【０００７】
本考案は、かかる事情に鑑みてなされたものであって、衣服や、絨毯や、マット等の繊維体に付着した犬や、猫や、鳥等のペットの毛や、羽根や、埃等のゴミを容易に取り除くことができる安価なゴミ除去用ブラシを提供することを目的とする。
【課題を解決するための手段】
【０００８】
前記目的に沿う本考案に係るゴミ除去用ブラシは、衣服や、絨毯や、マット等の繊維体に付着したペットの毛や、羽根や、埃等のゴミを取り除くための、芯材に布地を巻きつけて形成されるゴミ除去用ブラシであって、芯材が略平板状の硬質体の少なくとも一方の主面に柔軟体を貼り付けてなり、柔軟体の上面に縦糸と横糸を交互にして織り上げた絹布からなる布地が巻きつけられて有する。
【０００９】
ここで、ゴミ除去用ブラシは、絹布が縦糸、又は横糸をブラッシングする方向に対して略直角になるようにして柔軟体の上面に巻きつけてあるのがよい。
【００１０】
また、ゴミ除去用ブラシは、芯材の硬質体がプラスチック板、木製板、紙製板、金属板のいずれかからなり、軟質体がゴム製スポンジ、合成樹脂製スポンジ、海綿体、フェルトのいずれかの少なくとも１つを含むのがよい。
【考案の効果】
【００１１】
請求項１又はこれに従属する請求項２又は３のいずれか一項記載のゴミ除去用ブラシは、衣服や、絨毯や、マット等の繊維体に付着したペットの毛や、羽根や、埃等のゴミを取り除くための、芯材に布地を巻きつけて形成されるゴミ除去用ブラシであって、芯材が略平板状の硬質体の少なくとも一方の主面に柔軟体を貼り付けてなり、柔軟体の上面に縦糸と横糸を交互にして織り上げた絹布からなる布地が巻きつけられて有するので、蚕の繭から作られる天然素材の絹糸の縦糸と横糸を交互にして織り上げた絹布を硬質体で型崩れを防止して、柔軟体で弾力性を持たせた芯材に巻きつけたブラシ面が衣服や、絨毯や、マット等の繊維体にある程度力を入れて擦りつけても作業性をよくし、絹布の持つ保湿性によって絹布自体が静電気を起こし難く、繊維体に付着したペットの毛や、羽根や、埃等のゴミを絹布に付着させることなくブラッシングする方向に容易に寄せ集めて除去することができる。また、芯材に絹布を巻きつけるだけで形成され、繰り返し使用できるブラシであるので、安価なゴミ除去用ブラシを提供することができる。
【００１２】
特に、請求項２記載のゴミ除去用ブラシは、絹布が縦糸、又は横糸をブラッシングする方向に対して略直角になるようにして柔軟体の上面に巻きつけてあるので、縦糸、又は横糸の糸目に沿って衣服や、絨毯や、マット等の繊維体に付着したペットの毛や、羽根や、埃等のゴミを効果的に容易に寄せ集めることができる。
【００１３】
また、特に、請求項３記載のゴミ除去用ブラシは、芯材の硬質体がプラスチック板、木製板、紙製板、金属板のいずれかからなり、軟質体がゴム製スポンジ、合成樹脂製スポンジ、海綿体、フェルトのいずれかの少なくとも１つを含むので、芯材の硬質体で型崩れを起こすことなく、軟質体で柔軟性を確保でき、ある程度力を入れて擦りつけても捩れることなくブラッシングをすることができ、衣服や、絨毯や、マット等の繊維体に付着したペットの毛や、羽根や、埃等のゴミを効果的に容易に寄せ集めることができる。
【考案を実施するための最良の形態】
【００１４】
続いて、添付した図面を参照しつつ、本考案を具体化した実施するための最良の形態について説明し、本考案の理解に供する。
ここに、図１（Ａ）、（Ｂ）はそれぞれ本考案の一実施の形態に係るゴミ除去用ブラシの実施例１の平面図、Ａ−Ａ’線縦断面図、図２（Ａ）、（Ｂ）はそれぞれ同ゴミ除去用ブラシの実施例２の平面図、Ｂ−Ｂ’線縦断面図、図３（Ａ）、（Ｂ）はそれぞれ同ゴミ除去用ブラシの実施例３の平面図、Ｃ−Ｃ’線縦断面図、図４（Ａ）、（Ｂ）はそれぞれ同ゴミ除去用ブラシの実施例４の平面図、Ｄ−Ｄ’線縦断面図、図５（Ａ）、（Ｂ）はそれぞれ同ゴミ除去用ブラシの実施例５の平面図、Ｅ−Ｅ’線縦断面図、図６は同ゴミ除去用ブラシの実施例６の説明図である。
【００１５】
本考案の一実施の形態に係るゴミ除去用ブラシは、例えば、衣服や、絨毯や、マットや、自動車やソファー等のシートや、布団等の繊維体に付着した、例えば、犬や、猫や、鳥等のペットによって発生する毛や、羽根や、埃等のゴミを取り除くために使われるものである。このゴミ除去用ブラシによって、繊維体にこびり付いたペットから発生する毛や、羽根や、埃等のゴミは、繊維体から容易に取り除くことが実現できた。
【実施例１】
【００１６】
図１（Ａ）、（Ｂ）に示すように、本考案の一実施の形態に係る実施例１のゴミ除去用ブラシ１０は、衣服や、絨毯や、マット等の繊維体に付着したペットの毛や、羽根や、埃等のゴミを取り除くために使われるものであって、略平板状の硬質体１１と、柔軟体１２からなる芯材１３の柔軟体１２の上面に布地１４が巻きつけられて形成されている。このゴミ除去用ブラシ１０に用いられる硬質体１１は、平面視して一方の先端側を楕円形状のブラシ面部１５とし、他方の先端側を取手部１６として形成されている。そして、この硬質体１１の一方の主面のブラシ面部１５には、柔軟体１２が接着剤等で貼り付けてある。また、柔軟体１２の上面には、縦糸と横糸を交互に平織り上げした絹布からなる布地１４が巻きつけてある。上記のゴミ除去用ブラシ１０は、ブラシ面部１５の柔軟体１２の形状に丸みを持たせることができると共に、柔軟体１２の柔軟性によって、繊維体に密着させて当接することができ、絹布からなる布地１４面で繊維体を軽く擦るだけで繊維体にこびり付いたペットから発生した毛や、羽根や、埃等のゴミを容易にブラッシング方向に寄せ集めることができる。
【００１７】
上記の絹布からなる布地１４は、絹布の持つ保湿性によって電気を放電して絹布自体に静電気が起こり難く、衣服や、絨毯や、マット等の繊維体に付着したペットの毛や、羽根や、埃等のゴミを絹布に付着させることなくブラッシングする方向に容易に寄せ集めて除去することができると考えられる。上記の絹布は、縦糸、又は横糸をブラッシングする方向に対して略直角になるようにして芯材１３の柔軟体１２の上面に巻きつけてあるのがよい。ブラッシングされるゴミは、ブラッシングする方向に対して絹布の縦糸、又は横糸が略直角になるようになっていると、線状に寄せ集めることが容易となる。この絹布は、他の繊維、例えば、木綿や、羊毛や、化学繊維を混ぜ合わせた糸で作製されるものでは静電気を帯びやすく、絹布にゴミが付着して取れ難くなりやすい。従って、絹布は、できるだけ絹純度の高いものがよく、絹１００％からなる布地１４が最も好ましい。また、絹布からなる布地１４の表面は、平らな面でもよいが、表面に凹凸を設けることが好ましく、この凹凸によって、繊維体に付着したペットから発生したゴミをブラッシングする方向に寄せ集める効果を向上させることができる。更に、絹布からなる布地１４は、表面が非常に滑らかであるので、衣服や、絨毯や、マット等の繊維体を傷付けるようなことが発生しない。
【００１８】
上記の芯材１３は、硬質体１１が硬質のプラスチック板、木製板、厚手の強度のある紙製板、比較的軽い例えばアルミニウム等の金属板の内のいずれかからなり、軟質体１２がゴム製スポンジ、合成樹脂製スポンジ、海綿体、フェルトのいずれかの少なくとも１つを含んでいるのがよい。このような素材を用いて形成されるゴミ除去用ブラシ１０は、芯材１３を硬質体１１で型崩れを起こすことを防止し、軟質体１２で柔軟性を確保でき、ある程度力を入れて擦りつけても捩れることなくブラッシングをすることができるので、繊維体に付着したペットから発生した毛や、羽根や、埃等のゴミを効果的に容易に寄せ集めることができる。
【００１９】
実施例１のゴミ除去用ブラシ１０は、大きさや形状を限定するものではないが、例えば、ブラシ面部１５の大きさを長さ１３ｃｍ、幅９ｃｍ程度、取手部１６の長さを８ｃｍ程度とすることができる。また、取手部１６には、貫通孔１７を設けることで、収納時の引っ掛け口としたり、紐を通してぶら下げることもできる。なお、このゴミ除去用ブラシ１０を用いてブラッシングする場合や、これから説明する実施例２〜７のブラシを用いてブラッシングする場合には、繊維体、及び／又はブラシに霧吹き等で若干の水分を吹きかけた後にブラッシングすると、毛や、羽根や、埃等のゴミが同一方向の線状の集合体とすることができる。
【実施例２】
【００２０】
図２（Ａ）、（Ｂ）に示すように、本考案の一実施の形態に係る実施例２のゴミ除去用ブラシ１０ａは、実施例１のゴミ除去用ブラシ１０の場合と同様に、繊維体に付着したペットから出るゴミを取り除くために使われるものである。このゴミ除去用ブラシ１０ａは、例えば、長さ２０ｃｍ、幅１０ｃｍ程度の楕円形状をした略平板状の硬質体１１の両面、又は一方の主面（図２（Ａ）、（Ｂ）は両面で図示）全体に柔軟体１２が貼り付けられた芯材１３からなり、柔軟体１２の上面に絹布からなる布地１４が巻きつけられてブラシ面部１５が形成されている。また、このゴミ除去用ブラシ１０ａには、外周端部に３ｍｍ程度の襞状に引き出す布地１４ａを設けることが好ましく、この襞状に引き出した布地１４ａによって、毛や、羽根や、埃等のゴミが集まりやすくなり、容易にゴミを取り除くことができる。なお、この襞状に引き出す布地１４ａは、他の実施例においても応用することができる。
【実施例３】
【００２１】
図３（Ａ）、（Ｂ）に示すように、本考案の一実施の形態に係る実施例３のゴミ除去用ブラシ１０ｂは、実施例１、２のゴミ除去用ブラシ１０、１０ａの場合と同様に、繊維体に付着したペットから出るゴミを取り除くために使われるものである。このゴミ除去用ブラシ１０ｂは、例えば、長さ１３ｃｍ、幅１０ｃｍ程度の楕円形状をした略平板状の硬質体１１の一方の主面全体に柔軟体１２が貼り付けられた芯材１３からなり、柔軟体１２の上面に絹布からなる布地１４が巻きつけられて形成されている。そして、このゴミ除去用ブラシ１０ｂには、硬質体１１の上面の長さ方向中央部に幅方向をブリッジ状にしてバンド状のゴム体１８が設けられ、ブラッシングする時に掌を差込むことができるようにしている。
【実施例４】
【００２２】
図４（Ａ）、（Ｂ）に示すように、本考案の一実施の形態に係る実施例４のゴミ除去用ブラシ１０ｃは、基本的には、実施例３のゴミ除去用ブラシ１０ｂの場合と同様であり、例えば、長さ１６ｃｍ、幅９ｃｍ程度の矩形状をした略平板状の硬質体１１の一方の主面全体に柔軟体１２が貼り付けられた芯材１３からなり、柔軟体１２の上面に絹布からなる布地１４が巻きつけられて形成されている。そして、このゴミ除去用ブラシ１０ｃには、若干厚さを厚くした硬質体１１の上面の長さ方向中央部の両幅端辺部に切り欠き部１９が設けられ、この切り欠き部１９をブラッシング時の指当て部として使用することでゴミ除去用ブラシ１０ｃを持ちやすいようにしている。
【実施例５】
【００２３】
図５（Ａ）、（Ｂ）に示すように、本考案の一実施の形態に係る実施例５のゴミ除去用ブラシ１０ｄは、基本的には、実施例３、４のゴミ除去用ブラシ１０ｂ、１０ｃの場合と同様であり、親指だけが離れたふたまた手袋であるミトン型形状をした略平板状の硬質体１１の一方の主面全体に柔軟体１２が貼り付けられた芯材１３からなり、柔軟体１２の上面に絹布からなる布地１４が巻きつけられて形成されている。そして、このゴミ除去用ブラシ１０ｄには、硬質体１１の上面に布、革、プラスチックシート等からなる袋体２０が設けられ、この袋体２０の中に手を挿入してブラッシングができるようにしている。なお、ゴミ除去用ブラシ１０ｄは、図示しないが、袋体２０を中心にして両面に芯材１３及び布地１４を設けて、両面がブラッシング用として用いることができるようにすることもできる。
【実施例６】
【００２４】
図６に示すように、本考案の一実施の形態に係る実施例６のゴミ除去用ブラシ１０ｅは、基本的には、実施例３、４のゴミ除去用ブラシ１０ｂ、１０ｃの場合と同様であり、例えば、長さ２５ｃｍ、幅９ｃｍ程度の矩形状をした略平板状の硬質体１１の一方の主面全体に柔軟体１２が貼り付けられた芯材１３からなり、柔軟体１２の上面に絹布からなる布地１４が巻きつけられて形成されている。そして、このゴミ除去用ブラシ１０ｅには、硬質体１１の上面中心部に、例えば、長さ１１０ｃｍ程度の丸棒からなる柄２１の一方の先端が回動自在に取り付けられている。このゴミ除去用ブラシ１０ｅは、柄２１を手で持って操作し、モップ型として様々な方向や、室内の角部まで差込んで使用することができる。なお、このモップ型のゴミ除去用ブラシ１０ｅには、特に、外周端部に襞状に引き出す布地１４ａを設けることで、ペットから出る毛や、羽根や、埃等のゴミを効果的に寄せ集めることができる。
【実施例７】
【００２５】
図示しないが、本考案の一実施の形態に係る実施例７のゴミ除去用ブラシは、基本的には、実施例３、４のゴミ除去用ブラシ１０ｂ、１０ｃの場合と同様であり、ぬいぐるみ型形状をした略平板状の硬質体の一方の主面をぬいぐるみの腹部、あるいは背中部にみたて、硬質体の一方の主面全体に柔軟体が貼り付けられた芯材からなり、柔軟体の上面に絹布からなる布地が巻きつけられて形成されている。そして、このゴミ除去用ブラシ１０ｄには、硬質体１１の上面に布、革、プラスチックシート等からなるぬいぐるみ形状体が設けられ、このぐるみ形状体部分を手で持ってブラッシングができるようにしている。
【産業上の利用可能性】
【００２６】
本考案のゴミ除去用ブラシは、衣服や、絨毯や、マットや、シートや、布団等の繊維体に付着したペットによって発生するゴミを取り除くためのブラシとして適用できる。
【図面の簡単な説明】
【００２７】
【図１】（Ａ）、（Ｂ）はそれぞれ本考案の一実施の形態に係るゴミ除去用ブラシの実施例１の平面図、Ａ−Ａ’線縦断面図である。
【図２】（Ａ）、（Ｂ）はそれぞれ同ゴミ除去用ブラシの実施例２の平面図、Ｂ−Ｂ’線縦断面図である。
【図３】（Ａ）、（Ｂ）はそれぞれ同ゴミ除去用ブラシの実施例３の平面図、Ｃ−Ｃ’線縦断面図である。
【図４】（Ａ）、（Ｂ）はそれぞれ同ゴミ除去用ブラシの実施例４の平面図、Ｄ−Ｄ’線縦断面図である。
【図５】（Ａ）、（Ｂ）はそれぞれ同ゴミ除去用ブラシの実施例５の平面図、Ｅ−Ｅ’線縦断面図である。
【図６】同ゴミ除去用ブラシの実施例６の説明図である。
【符号の説明】
【００２８】
１０、１０ａ、１０ｂ、１０ｃ、１０ｄ、１０ｅ：ゴミ除去用ブラシ、１１：硬質体、１２：柔軟体、１３：芯材、１４、１４ａ：布地、１５：ブラシ面部、１６：取手部、１７：貫通孔、１８：ゴム体、１９：切り欠き部、２０：袋体、２１：柄
【図１】
0003117996.tif 000003
【図２】
0003117996.tif 000004
【図３】
0003117996.tif 000005
【図４】
0003117996.tif 000006
【図５】
0003117996.tif 000007
【図６】
0003117996.tif 000008